(57)【要約】【課題】経済的なネットワークを構築することを可能とする。【解決手段】制御網を介していずれかの光パスに障害が発生した旨、警報を受けた場合に（ステップ２００）、障害が発生した光パスが双方向光パスの場合は、対の上りと下りの光パスを同一波長が割り当てられた別の対の光ファイバに切り替え（ステップ２０２〜２０４）、障害が発生した光パスが片方向パスの場合は該片方向パスの伝送方向が上りであるか、下りであるかに応じて、障害が発生した光パスと同一の伝送方向の光パスである光ファイバに切り替える（ステップ２０５〜２０７）。【選択図】      図４
2004312151.tif 000002
【特許請求の範囲】
【請求項１】
複数の波長を１本の光ファイバ内に波長多重して転送するネットワークであり、
上りと下りを同一波長で対として通信を行う双方向光パスと、上りもしくは下りのみとして通信を行っている片方向光パスを１つの光ファイバ内に混在収容し、上りまたは下りのパスに逆方向の警報を転送する制御網を備えたことを特徴とするネットワーク。
【請求項２】
複数の波長を１本の光ファイバ内に波長多重して転送するネットワークであり、
上りと下りを同一波長で対として通信を行う双方向光パスと、上りもしくは下りのみとして通信を行っている片方向光パスを１つの光ファイバ内に混在収容し、上りまたは下りのパスに逆方向の警報を転送する制御網を備えたネットワークの光パス切り替え方法であって、
前記制御網を介していずれかの光パスに障害が発生した旨、警報を受けた場合に、障害が発生した光パスが双方向光パスの場合は、対の上りと下りの光パスを同一波長が割り当てられた別の対の光ファイバに切り替え、
障害が発生した光パスが片方向パスの場合は該片方向パスの伝送方向が上りであるか、下りであるかに応じて、障害が発生した光パスと同一の伝送方向の光パスである光ファイバに切り替えることを特徴とする光パス切り替え方法。
【請求項３】
それぞれの通信波長が双方向であるか、片方向であるかの状態を保持する状態テーブルを備え、
該状態テーブルに基づき障害が発生した光パスが片方向パスであるか又は双方向パスであるかを判定し、該判定結果に基づいて切り替えるべき光パスを探索することを特徴とする請求項２に記載の光パス切り替え方法。
【請求項４】
上りと下りを同一波長で対として通信を行なう双方向光パスと、上りもしくは下りのみとして通信を行なっている片方向光パスを１つの光ファイバ内に混在収容して、当該光ファイバ以外の網に警報を転送する制御網を備えたネットワークの伝送端局装置であって、
前記制御網から出力された特定の光パスに障害が発生したこと示す警報信号を受信する警報受信手段と、
光パスを切り替えるパス切替手段と、
空き状態の光パスを探索するパス探索手段と、
前記警報受信手段より警報信号を取り込み、障害が発生した光パスに切り替えるための空き状態にある光パスを前記パス探索手段に探索させるとともに、障害が発生した光パスが双方向光パスの場合は、対の上りと下りの光パスを同一波長が割り当てられた別の対の光ファイバに切り替え、障害が発生した光パスが片方向パスの場合は該片方向パスの伝送方向が上りであるか、下りであるかに応じて、障害が発生した光パスと同一の伝送方向の光パスである光ファイバに切り替えるように前記パス切替手段及びパス探索手段を制御する制御手段と、
を有することを特徴とする伝送端局装置。
【請求項５】
さらに、通信中の光パスにおいて使用されている通信波長と、該通信波長が使用されている光パスが双方向であるか、片方向であるかの状態との関係を保持する状態テーブルを有し、
前記制御手段は、前記状態テーブルに基づき障害が発生した光パスが片方向パスであるか又は双方向パスであるかを判定し、該判定結果に基づいて切り替えるべき光パスを探索するように前記パス探索手段を制御することを特徴とする請求項４に記載の伝送端局装置。
【発明の詳細な説明】
【０００１】
【発明の属する技術分野】
本発明は、片方向パス及び双方向パスが混在するネットワークにおいて、伝送経路中に障害が発生した場合における光パス切り替え方法及び光パス切り替えを行う伝送端局装置に関する。
【０００２】
【従来の技術】
図７を参照して従来のＳＤＨ（Ｓｙｎｃｈｒｏｎｏｕｓ  Ｄｉｇｉｔａｌ  Ｈｉｅｒａｒｃｈｙ：ＳＤＨ）ネットワークにおける光パス切り替え方法について説明する。従来のＳＤＨネットワークでは、光ファイバは送信端と受信端との間で双方向に対となっており、例えば、波長λ１で通信を行っている下りの光ファイバ＃０に障害が発生した場合に、送信端となる伝送端局装置では、下りの光ファイバ＃０内のＳＤＨ信号のオーバーヘッドを用いて故障を通知するＡＩＳ（Ａｌａｒｍ  Ｉｎｄｉｃａｔｉｏｎ  Ｓｉｇｎａｌ：ＡＩＳ）信号を下流へ送る。
【０００３】
受信端の伝送端局装置では下りファイバ＃０を介してＡＩＳ信号を検出すると、下りファイバ＃０と対になっている逆方向上りの光ファイバ＃０内の同一の波長のＳＤＨ信号のオーバーヘッドを用いてＲＤＩ（Ｒｅｍｏｔｅ  Ｄｅｆｅｃｔ  Ｉｎｄｉｃａｔｉｏｎ：ＲＤＩ）信号を上流へ流し、送信端で下りの光ファイバ＃０の故障を検出し、切り替える。
このとき、光ファイバの切り替えは、下りの光ファイバ＃０のみが故障していても、下りの光ファイバ＃０と対になっている上りファイバ＃０内の信号も、例えば、光ファイバ＃７へ切り替えられる（例えば、特許文献１参照。）。
【０００４】
【特許文献１】
特開平８−１７２４１４号公報
【０００５】
【発明が解決しようとする課題】
しかし、近年、ビデオの配信やＷＷＷ（Ｗｏｒｌｄ  Ｗｉｄｅ  Ｗｅｂ）からのコンテンツのダウンロード等、片方向サービス、もしくは、伝送経路における上り方向及び下り方向で、それぞれ帯域が大きく異なるサービスが存在する。その場合、上述したような、光パスに障害が発生したことを示す警報信号を転送するために双方向に光ファイバを使用するのは、きわめて、ネットワークの使用効率が悪化し、不経済であるという問題が有った。
【０００６】
本発明はこのような事情に鑑みてなされたものであり、経済的なネットワークを構築することが可能な光パス切り替え方法及び光パス切り替えを行う伝送端局装置を提供することを目的とする。
【０００７】
【課題を解決するための手段】
上記目的を達成するために、請求項１に記載の発明は、複数の波長を１本の光ファイバ内に波長多重して転送するネットワークであり、
上りと下りを同一波長で対として通信を行う双方向光パスと、上りもしくは下りのみとして通信を行っている片方向光パスを１つの光ファイバ内に混在収容し、上りまたは下りのパスに逆方向の警報を転送する制御網を備えたことを特徴とする。
また、請求項２に記載の発明は、複数の波長を１本の光ファイバ内に波長多重して転送するネットワークであり、上りと下りを同一波長で対として通信を行う双方向光パスと、上りもしくは下りのみとして通信を行っている片方向光パスを１つの光ファイバ内に混在収容し、上りまたは下りのパスに逆方向の警報を転送する制御網を備えたネットワークの光パス切り替え方法であって、前記制御網を介していずれかの光パスに障害が発生した旨、警報を受けた場合に、障害が発生した光パスが双方向光パスの場合は、対の上りと下りの光パスを同一波長が割り当てられた別の対の光ファイバに切り替え、障害が発生した光パスが片方向パスの場合は該片方向パスの伝送方向が上りであるか、下りであるかに応じて、障害が発生した光パスと同一の伝送方向の光パスである光ファイバに切り替えることを特徴とする。
【０００８】
また、請求項３に記載の発明は、請求項２に記載の光パス切り替え方法において、それぞれの通信波長が双方向であるか、片方向であるかの状態を保持する状態テーブルを備え、該状態テーブルに基づき障害が発生した光パスが片方向パスであるか又は双方向パスであるかを判定し、該判定結果に基づいて切り替えるべき光パスを探索することを特徴とする。
【０００９】
また、請求項４に記載の発明は、上りと下りを同一波長で対として通信を行なう双方向光パスと、上りもしくは下りのみとして通信を行なっている片方向光パスを１つの光ファイバ内に混在収容して、当該光ファイバ以外の網に警報を転送する制御網を備えたネットワークの伝送端局装置であって、前記制御網から出力された特定の光パスに障害が発生したこと示す警報信号を受信する警報受信手段と、光パスを切り替えるパス切替手段と、空き状態の光パスを探索するパス探索手段と、前記警報受信手段より警報信号を取り込み、障害が発生した光パスに切り替えるための空き状態にある光パスを前記パス探索手段に探索させるとともに、障害が発生した光パスが双方向光パスの場合は、対の上りと下りの光パスを同一波長が割り当てられた別の対の光ファイバに切り替え、障害が発生した光パスが片方向パスの場合は該片方向パスの伝送方向が上りであるか、下りであるかに応じて、障害が発生した光パスと同一の伝送方向の光パスである光ファイバに切り替えるように前記パス切替手段及びパス探索手段を制御する制御手段とを有することを特徴とする。
【００１０】
また、請求項５に記載の発明は、請求項４に記載の伝送端局装置において、さらに、通信中の光パスにおいて使用されている通信波長と、該通信波長が使用されている光パスが双方向であるか、片方向であるかの状態との関係を保持する状態テーブルを有し、前記制御手段は、前記状態テーブルに基づき障害が発生した光パスが片方向パスであるか又は双方向パスであるかを判定し、該判定結果に基づいて切り替えるべき光パスを探索するようにパス探索手段を制御することを特徴とする。
【００１１】
【発明の実施の形態】
以下、本発明の実施形態を、図面を参照して詳細に説明する。本発明に係る光パス切り替え方法は、複数の波長を１本の光ファイバ内に波長多重して転送するネットワークであり、上りと下りを同一波長で対として通信を行う双方向光パスと、上りもしくは下りのみとして通信を行っている片方向光パスを１つの光ファイバ内に混在収容し、上りまたは下りのパスに逆方向の警報を転送する制御網を備えたネットワークの光パス切り替え方法である。
【００１２】
本発明の光パス切り替え方法の特徴は、前記制御網を介していずれかの光パスに障害が発生した旨、警報を受けた場合に、障害が発生した光パスが双方向光パスの場合は、対の上りと下りの光パスを同一波長が割り当てられた別の対の光ファイバに切り替え、障害が発生した光パスが片方向パスの場合は該片方向パスの伝送方向が上りであるか、下りであるかに応じて、障害が発生した光パスと同一の伝送方向の光パスである光ファイバに切り替えることにある。
【００１３】
図１に本発明に係るネットワークの構成を示す。本発明に係るネットワークは、複数の波長を１本の光ファイバ内に波長多重して転送するネットワークであり、上りと下りを同一波長で対として通信を行う双方向光パスと、上りもしくは下りのみとして通信を行っている片方向光パスを１つの光ファイバ内に混在収容し、上りまたは下りのパスに逆方向の警報を転送する制御網を備えたことを特徴としている。
図１に示すように、このネットワークは、伝送端局装置１Ａと伝送端局装置１Ｂとを介して双方向パスと片方向パスとが混在するネットワークであり、伝送端局装置１Ａと伝送端局装置１Ｂとの間に制御網２が介在するように構成されている。
【００１４】
図１において、波長λ１で通信を行うＡ−ｓ及びＡ−ｄ間、波長λ４で通信を行うＤ−ｓ及びＤ−ｄ間の光パスは双方向パスであり、その他のＢ−ｓ及びＢ−ｄ間（通信波長：λ２）、Ｃ−ｓ及びＣ−ｄ間（通信波長：λ３）、Ｅ−ｓ及びＥ−ｄ間（通信波長：λ２）、Ｆ−ｓ及びＦ−ｄ間（通信波長：λ３）の光パスは片方向パスである。伝送端局装置１Ａ、１Ｂ間に設けられている制御網２は、例えば、ＩＰ網でもよい。
【００１５】
次に、光パスに障害が発生した場合の警報転送のシーケンスを図２に示す。同図において、通信中の光パスに障害が発生した場合に送信端である伝送端局装置より故障を通知するＡＩＳ信号が受信端側に送出される（シーケンスＳ１）。
ＡＩＳ信号を受信した受信端となる伝送端局装置は、制御網２を経由して送信端へパスが故障していることを示すＲＤＩ信号を送信端側に返信する（シーケンスＳ２）。
送信端の伝送端局装置は、このＲＤＩ信号に基づいて光パスの切り替えを行う（シーケンスＳ３）。
【００１６】
次に、本発明の実施形態に係る伝送端局装置の構成を図３に示す。本実施形態に係る伝送端局装置１Ａ（または１Ｂ）は、送信端側に設置される伝送端局装置であり、上述した本発明に係る光パス切り替え方法を実施するための装置である。
【００１７】
伝送端局装置１Ａ（１Ｂ）は、警報受信部１００と、制御部１０２と、状態テーブル１０４と、パス探索部１０６と、パス切替部１０８とを有している。
警報受信部１００は、制御網２から出力された特定の光パスに障害が発生したこと示す警報信号ＲＤＩを受信する機能を有している。
パス切替部１０８は、制御部１０２の制御下に光パスを切り替える機能を有している。
【００１８】
パス探索手段は、制御部１０２からの指示に基づいて空き状態の光パスを探索する機能を有している。
状態テーブル１０４は、通信中の光パスにおいて使用されている通信波長と、該通信波長が使用されている光パスが双方向であるか、片方向であるかの状態との関係を保持する。
【００１９】
制御部１０２は、警報受信部１００より警報信号を取り込み、障害が発生した光パスに切り替えるための空き状態にある光パスをパス探索部１０６に探索させるとともに、障害が発生した光パスが双方向光パスの場合は、対の上りと下りの光パスを同一波長が割り当てられた別の対の光ファイバに切り替え、障害が発生した光パスが片方向パスの場合は該片方向パスの伝送方向が上りであるか、下りであるかに応じて、障害が発生した光パスと同一の伝送方向の光パスである光ファイバに切り替えるようにパス切替部１０８及びパス探索部１０６を制御する。
【００２０】
また、制御部１０２は、状態テーブル１０４に基づき障害が発生した光パスが片方向パスであるか又は双方向パスであるかを判定し、該判定結果に基づいて切り替えるべき光パスを探索する。
警報受信部１００は本発明の警報受信手段に、制御部１０２は本発明の制御手段に、パス探索部１０６は本発明のパス探索手段に、パス切替部１０８は本発明のパス切替手段に、それぞれ相当する。
【００２１】
次に、図３に示した本発明の実施形態に係る伝送端局装置１Ａ（１Ｂ）の動作を図４に示すフローチャートを参照して説明する。図４において、警報受信部１０が制御網２より警報信号ＲＤＩを受信すると、警報受信部１００は、制御部１０２に警報信号ＲＤＩを転送する。警報信号ＲＤＩはＳＤＨのフレームのＳＯＨに書き込まれているので、制御部では、ＳＤＨのフレームのＳＯＨを参照して警報信号を受信したことを認識し（ステップ２００）、障害が発生した光パスが双方向か片方向かを、状態テーブル１０４を参照して判定する（ステップ２０１）。
【００２２】
すなわち、通信中の光パスにおいて使用されている通信波長と、該通信波長が使用されている光パスが双方向であるか、片方向であるかの状態との関係を示すテーブル１０４から障害が発生した光パスが双方向か否かを判定する。
ステップ２０１において、障害が発生した光パスが双方光であると判定された場合には、制御部１０２は、切り替えるべき光パスとして同一波長の対の空き状態にある光ファイバを探索するようにパス探索部１０６に指示する。これを受けてパス探索部１０６は、同一波長の対の空き状態にある光ファイバを探索する（ステップ２０２）。
【００２３】
次いで、空き状態にある光ファイバがある場合には（ステップ２０３）、障害が発生した光パスである光ファイバを、パス探索部１０６により探索された同一波長の対の空き状態にある光ファイバに切り替える（ステップ２０４）。ここで、障害が発生した光パスが双方向である場合の光パスの切り替え動作を図５に示す。
【００２４】
同図において、障害が発生した光パスが双方向であるので、例えば、波長λ１が通信波長である上り光ファイバ＃０より警報信号ＲＤＩが制御網２より転送されてきた場合は、上り／下りの光ファイバはともに、この例では、通信波長がλ５の光ファイバ＃７に切り替える。すなわち、図３の制御部では双方向共に空いている光パス（光ファイバ）を探し、そこに上り下りとも同じファイバ、同じ波長へ切り替える。
【００２５】
一方、ステップ２０１で、障害が発生した光パスが片方向の光パスであると判定された場合には、制御部１０２は、切り替えるべき光パスとして同一伝送方向の単一の空き状態にある光ファイバを探索するようにパス探索部１０６に指示する。これを受けてパス探索部１０６は、同一伝送方向の単一の空き状態にある光ファイバを探索する（ステップ２０５）。
【００２６】
次いで、空き状態にある光ファイバがある場合には（ステップ２０６）、障害が発生した光パスである光ファイバを、パス探索部１０６により探索された同一伝送方向の単一の空き状態にある光ファイバに切り替える（ステップ２０７）。ここで、障害が発生した光パスが片方向である場合の光パスの切り替え動作を図６に示す。
【００２７】
同図において、通信波長がλ１の下りの光ファイバ＃０と、通信波長がλ１の上りの光ファイバ＃０は、対でないものとする。例えば、波長λ１が通信波長である上り光ファイバ＃０より警報信号ＲＤＩが制御網２（図３）より転送されてきた場合は、制御部１０２では警報信号ＲＤＩにより通知された波長の下りのパスのみで空いている波長を探し、下りのパスのみを切り替える。
【００２８】
すなわち、通信波長がλ１の下りの光ファイバ＃０は、波長λ５が割り当てられた下りの光ファイバ＃７へ切り替えられる。先にも述べたが、故障以前の通信波長がλ１である下りの光ファイバ＃０と、通信波長がλ１である上りの光ファイバ＃０とは対でないため、通信波長がλ１である上りの光ファイバ＃０はこの故障を契機にして切り替わることはない。
【００２９】
【発明の効果】
このように、双方向光パスの場合は双方向光パスを対として切り替え、片方向パスの場合は、故障した光パスのみを切り替えるようにしたので、双方向の光パスと片方向の光パスとが混在した方式でネットワークを運用することが可能であり、ネットワークの使用効率の向上が図れ、経済的なネットワークを構築することができる。
【図面の簡単な説明】
【図１】本発明に係るネットワークの構成を示す図。
【図２】図１に示すネットワークにおいて光パスに障害が発生した場合の警報転送のシーケンスを示すシーケンス図。
【図３】本発明の実施形態に係る伝送端局装置の構成を示すブロック図。
【図４】図３に示す伝送端局装置の動作を示すフローチャート。
【図５】図４に示す伝送端局装置において、障害が発生した光パスが双方向である場合の光パスの切り替え動作を示す説明図。
【図６】図４に示す伝送端局装置において、障害が発生した光パスが片方向である場合の光パスの切り替え動作を示す説明図。
【図７】従来のＳＤＨネットワークにおける光パスの切り替え方法を示す説明図。
【符号の説明】
１Ａ，１Ｂ…伝送端局装置
２…制御網
１００…警報受信部
１０２…制御部
１０４…状態テーブル
１０６…パス探索部
１０８…パス切替部
【図１】
2004312151.tif 000003
【図２】
2004312151.tif 000004
【図３】
2004312151.tif 000005
【図４】
2004312151.tif 000006
【図５】
2004312151.tif 000007
【図６】
2004312151.tif 000008
【図７】
2004312151.tif 000009